(57)【要約】荷重受部１０に固定されたフランジ付きピン９のフランジ部が挿通可能な貫通孔を備える秤量皿支持部材本体２１と、フランジ付きピン９の軸部が挿通可能で、フランジ部が挿通不可能な幅の長孔とフランジ部が挿通可能な挿通孔とが連通した連通孔２２０を備えるスライダ２２とを有し、秤量皿支持部材本体２１とスライダ２２とが、貫通孔と挿通孔とを重ねた状態でフランジ付きピン９に装着され、フランジ付きピン９の軸部が挿通するスライダ２２上の位置を、挿通孔から長孔に移すようにスライダ２２がスライドされて、秤量皿支持部材本体２１が荷重受部１０に固定される。荷重受部１０に安定的に固定されている状態か否かが、スライダ２２の位置から分かる。
2014050403.tif 000002
【特許請求の範囲】
【請求項１】
秤の荷重受部に固定されて秤量皿を支える秤量皿支持部材であって、
前記荷重受部に固定されたフランジ付きピンのフランジ部が挿通可能な貫通孔を備える秤量皿支持部材本体と、
前記フランジ付きピンの軸部が挿通可能で、前記フランジ部が挿通不可能な幅の長孔と前記フランジ部が挿通可能な挿通孔とが連通した連通孔を備え、前記秤量皿支持部材本体の上面上をスライドするスライダと、
を有し、
前記秤量皿支持部材本体と前記スライダとが、前記貫通孔と前記挿通孔とを重ねた状態で前記フランジ付きピンに装着され、
前記フランジ付きピンの軸部が挿通する前記スライダ上の位置を、前記挿通孔から前記長孔に移すように前記スライダがスライドされて、前記秤量皿支持部材本体が前記荷重受部に固定される、
ことを特徴とする秤量皿支持部材。
【請求項２】
請求項１に記載の秤量皿支持部材であって、前記フランジ付きピンは、前記フランジ部の下面に、該フランジ部から軸部に行くに従って外径が小さくなるテーパを有し、前記スライダの前記連通孔は、前記挿通孔と前記長孔との連通箇所に前記長孔よりも幅が狭い狭幅部を有し、前記スライダをスライドさせて前記狭幅部に前記フランジ付きピンを通すとき、前記スライダが、前記テーパにより下方に押圧されて弾性変形することを特徴とする秤量皿支持部材。
【請求項３】
請求項１または２に記載の秤量皿支持部材であって、前記秤量皿支持部材本体が、上面に前記スライダの移動経路を規定する凹部を有し、前記凹部の底面に前記貫通孔が設けられていることを特徴とする秤量皿支持部材。
【請求項４】
請求項３に記載の秤量皿支持部材であって、前記凹部の周囲に、前記スライダを支える段差が設けられており、前記段差で支えられた前記スライダの中央部が、前記フランジ付きピンから押圧力を受けたときに下方に弾性変形することを特徴とする秤量皿支持部材。
【請求項５】
請求項４に記載の秤量皿支持部材であって、前記段差が、前記凹部の対向する両側壁に設けられており、前記両側壁が前記スライダのスライド方向に並行していることを特徴とする秤量皿支持部材。
【請求項６】
請求項４に記載の秤量皿支持部材であって、前記段差が、前記凹部の対向する両側壁に設けられており、前記両側壁が前記スライダのスライド方向に直交していることを特徴とする秤量皿支持部材。
【請求項７】
請求項３から６のいずれかに記載の秤量皿支持部材であって、前記凹部からの前記スライダの離脱を防止する離脱防止片が、前記凹部の周辺に設けられていることを特徴とする秤量皿支持部材。
【請求項８】
請求項３から７のいずれかに記載の秤量皿支持部材であって、前記凹部の底面に、前記スライダの前記長孔に挿通可能な円筒状突起が、前記貫通孔から離間して設けられており、前記円筒状突起の中心孔に、前記荷重受部に固定されたピンが挿入されることを特徴とする秤量皿支持部材。
【請求項９】
請求項３から７のいずれかに記載の秤量皿支持部材であって、前記秤量皿支持部材本体の前記荷重受部に対向する面にピンが立設されており、前記ピンが前記荷重受部の孔に挿入されることを特徴とする秤量皿支持部材。
【発明の詳細な説明】
【技術分野】
【０００１】
本発明は、秤の秤量皿を支える支持部材に関し、秤本体への安定的な装着を可能にしたものである。
【背景技術】
【０００２】
電子式秤の多くは、秤量皿回りの清掃や秤のメンテナンスのために、秤量皿やそれを支える秤量皿支持部材が取り外せるように構成されている。
図２１は、下記特許文献１に記載された秤量皿１７及び秤量皿支持部材１６と秤本体１１とを示している。秤本体１１の上面の孔部１５からは荷重受部１４が突出しており、この荷重受部１４の先端には、ネジ孔１４ｂが設けられている。秤量皿支持部材１６は、中央にネジ１８が挿通される孔を有しており、この孔に挿通したネジ１８を荷重受部１４のネジ孔１４ｂに螺合して秤量皿支持部材１６を荷重受部１４に固定する。また、秤量皿１７は、固定した秤量皿支持部材１６の上に載置される。
【先行技術文献】
【特許文献】
【０００３】
【特許文献１】特開２００３−１５６３８４号公報
【発明の概要】
【発明が解決しようとする課題】
【０００４】
しかし、秤量皿支持部材をネジで荷重受部に固定する方式では、秤量皿支持部材を取り外したユーザが再び組み付けるときに、ネジをどこまで締付ければ良いか分からない、と言う欠点がある。また、ネジによる固定では、ネジが緩み、秤量作業に支障を来たす場合がある。【０００５】
本発明は、こうした事情を考慮して創案したものであり、荷重受部に安定的に固定することができ、また、正常な状態で固定されていることが一目で分かる秤量皿支持部材を提供することを目的としている。
【課題を解決するための手段】
【０００６】
本発明は、秤の荷重受部に固定されて秤量皿を支える秤量皿支持部材であって、荷重受部に固定されたフランジ付きピンのフランジ部が挿通可能な貫通孔を備える秤量皿支持部材本体と、フランジ付きピンの軸部が挿通可能で、フランジ部が挿通不可能な幅の長孔とフランジ部が挿通可能な挿通孔とが連通した連通孔を備える、秤量皿支持部材本体の上面上をスライドするスライダと、を有し、秤量皿支持部材本体とスライダとが、貫通孔と挿通孔とを重ねた状態でフランジ付きピンに装着され、フランジ付きピンの軸部が挿通するスライダ上の位置を、挿通孔から長孔に移すようにスライダがスライドされて、秤量皿支持部材本体が荷重受部に固定される、ことを特徴とする。
この秤量皿支持部材は、荷重受部に安定的に固定されている状態か否かが、スライダの位置によって分かる。【０００７】
また、本発明の秤量皿支持部材は、フランジ付きピンが、フランジ部の下面に、フランジ部から軸部に行くに従って外径が小さくなるテーパを有し、また、スライダの連通孔が、挿通孔と長孔との連通箇所に長孔よりも幅が狭い狭幅部を有している。そして、スライダをスライドさせて狭幅部にフランジ付きピンを通すとき、スライダが、テーパにより下方に押圧されて弾性変形する。
フランジ付きピンの狭幅部の通過には、スライダの反発力に打ち勝つ力が必要となる。そのため、荷重受部に固定された秤量皿支持部材本体は、スライダの反発力に打ち勝つ力がスライダに加わらない限り、安定した状態で荷重受部に固定され続ける。【０００８】
また、本発明の秤量皿支持部材は、秤量皿支持部材本体が、上面にスライダの移動経路を規定する凹部を有し、この凹部の底面に貫通孔が設けられている。
スライダは、この凹部にガイドされて移動する。【０００９】
また、本発明の秤量皿支持部材は、この凹部の周囲に、スライダを支える段差が設けられており、段差で支えられたスライダの中央部が、フランジ付きピンから押圧力を受けたときに下方に弾性変形する。
弾性変形したスライダの反発力により、秤量皿支持部材の荷重受部に対するガタツキや“位置ずれ”が抑制される。【００１０】
また、本発明の秤量皿支持部材では、この段差を、凹部の対向する両側壁であって、スライダのスライド方向に並行する両側壁に設けることができる。
この場合、段差間の間隔が狭いため、弾性体のスライダをガタツキ無く支えようとすると、段差の高さを精確に設定する必要がある。【００１１】
また、本発明の秤量皿支持部材では、この段差を、凹部の対向する両側壁であって、スライダのスライド方向に直交する両側壁に設けることができる。
この場合、段差間の間隔が広いため、段差の高さに多少のバラツキがあっても、弾性体のスライダをガタツキ無く支えることができる。【００１２】
また、本発明の秤量皿支持部材は、この凹部からのスライダの離脱を防止する離脱防止片が、凹部の周辺に設けられている。
そのため、スライダのスライドが、凹部にガイドされて安定的に行われる。【００１３】
また、本発明の秤量皿支持部材では、この凹部の底面に、スライダの長孔に挿通可能な円筒状突起を、貫通孔から離間して設け、この円筒状突起の中心孔に、荷重受部に固定されたピンが挿入されるようにしても良い。
荷重受部のピンが秤量皿支持部材の円筒状突起に嵌ることで、秤量皿支持部材の荷重受部に対する位置決めが一層安定化する。【００１４】
また、本発明の秤量皿支持部材では、秤量皿支持部材本体の荷重受部に対向する面にピンを立設し、このピンを荷重受部の孔に挿入するようにしても良い。
秤量皿支持部材本体のピンが荷重受部の孔に嵌ることで、秤量皿支持部材の荷重受部に対する位置決めが一層安定化する。
【発明の効果】
【００１５】
本発明の秤量皿支持部材は、秤の荷重受部に対して、誰もが同じように安定的に固定することができ、また、正常な状態で固定されていることが一目で分かる。
【図面の簡単な説明】
【００１６】
【図１】本発明の実施形態に係る秤量皿支持部材の荷重受部に取り付けられた状態を示す図
【図２】図１の秤量皿支持部材の分解斜視図
【図３】図１の秤量皿支持部材の断面図
【図４】図１の秤量皿支持部材本体とスライダとの結合手順を示す図
【図５】解放状態の秤量皿支持部材の形状を示す図
【図６】図５の秤量皿支持部材の上面図
【図７】図６のＡ−Ａ位置での断面図
【図８】図６のＣ−Ｃ位置での断面図
【図９】フランジ付きピンと連通孔との関係を示す図
【図１０】固定状態の秤量皿支持部材の上面図
【図１１】図１０のＣ−Ｃ位置での断面図
【図１２】図１の秤量皿支持部材の第１の変形例を示す分解斜視図
【図１３】図１２の秤量皿支持部材の上面図（解放状態）
【図１４】図１３のＡ−Ａ位置での断面図
【図１５】図１３のＣ−Ｃ位置での断面図
【図１６】図１２の秤量皿支持部材の上面図（固定状態）
【図１７】図１６のＡ−Ａ位置での断面図
【図１８】図１６のＣ−Ｃ位置での断面図
【図１９】図１の秤量皿支持部材の第２の変形例を示す図
【図２０】図１の秤量皿支持部材の第３の変形例を示す図
【図２１】従来の秤量皿支持部材を示す図
【発明を実施するための形態】
【００１７】
図１は、本発明の実施形態に係る秤量皿支持部材２０が秤の荷重受部１０に取り付けられた状態を示し、図２は、その分解斜視図を示している。図３は、断面図（図１０のＡ−Ａ位置での断面図）である。
秤量皿支持部材２０を取り付ける荷重受部１０の上端には、フランジ９１付きのピン９が固定されている。このフランジ付きピン９は、フランジ部９１の下面に、フランジ部９１から軸部９２に行くに従って外径が小さくなるテーパ９３を有している（図３、図９参照）。
秤量皿支持部材２０は、金属成形体（アルミダイカスト等）から成る秤量皿支持部材本体２１と、秤量皿支持部材本体２１の上面に設けられた凹部２１１にガイドされてスライドするスライダ２２とを備えている。
【００１８】
秤量皿支持部材本体２１の凹部２１１は、その底面に、ピン９のフランジ部９１が挿通可能な貫通孔２１２を有し、また、両側の側壁に、スライダ２２の長手方向（スライド方向）の両側部を支える段差２１３を有している。また、凹部２１１の対向する上縁には、スライダ２２の凹部２１１からの離脱を防止する離脱防止片２１４１、２１４２が、各縁に二つ固定されている。離脱防止片２１４１、２１４２の一部は、凹部２１１側に突出している。なお、離脱防止片２１４１、２１４２は、秤量皿支持部材本体２１と一体成形されているが、別個に形成した離脱防止片２１４１、２１４２を秤量皿支持部材本体２１に固定するようにしても良い。
また、秤量皿支持部材本体２１の下面には、図３に示すように、荷重受部１０の突出部１０１に嵌り、荷重受部１０に対して秤量皿支持部材本体２１を位置決めする嵌合凹部２１５が設けられている。
【００１９】
一方、スライダ２２は、金属板に打ち抜き加工及び折り曲げ加工を施して形成されており、スライド方向の長さは、秤量皿支持部材本体２１の凹部２１１の長さよりも長く設定され、スライド方向に直交する幅は、凹部２１１に嵌る幅に設定されている。
スライダ２２の平板面には、フランジ付きピン９の軸部９２が通り、フランジ部９１が通らない幅の長孔２２２と、フランジ部９１が通る挿通孔２２３とを連通させた連通孔２２０が設けられている。また、この連通孔２２０の挿通孔２２３と長孔２２２とが連通する箇所には、フランジ付きピン９の軸部９２は通るが、長孔２２２よりも幅が狭い狭幅部２２１を有している（図２、図６参照）。
スライダ２２のスライド方向の両端は、スライダ２２をスライドさせるための押圧部２２４、２２５を構成するように、下方に折り曲げられている。挿通孔２２３側の押圧部２２４は、秤量皿支持部材本体２１の側面に当接してスライダ２２のスライドを規制するストッパを兼ねている。長孔２２２側の押圧部２２５の内側には、斜め下方に切り起されたストッパ２２６が設けられている。
【００２０】
また、スライダ２２の長手方向両側部には、一方の離脱防止片２１４１を通すための切欠部２２７と、他方の離脱防止片２１４２を通すための切落とし部２２８とが形成されている。押圧部２２５からストッパ２２６に至る部分の側縁は、長手方向両側部の延長線から、切落とし部２２８と同じ幅だけ後退し、離脱防止片２１４２を通すための隙間を、切落とし部２２８と共働して形成している。
【００２１】
この秤量皿支持部材２０は、次のように組み立てる。
図４に示すように、スライダ２２の離脱防止片２１４１を通すための切欠部２２７の位置（点線で表示）を秤量皿支持部材本体２１の離脱防止片２１４１の位置に合わせ、離脱防止片２１４２を通すための隙間２２８の位置（点線で表示）を離脱防止片２１４２の位置に合わせて（ａ）、スライダ２２を秤量皿支持部材本体２１の凹部２１１に嵌める（ｂ）。このとき、押圧部２２５は、凹部２１１の外側に位置し、ストッパ２２６は、凹部２１１の内側に位置する。
次に、ストッパ２２６が凹部２１１の壁２１１１の外側に出るまで、スライダ２２の押圧部２２４を押す（ｃ）。このとき、ストッパ２２６は、図４（ｃ）のように変形して凹部２１１の壁２１１１を乗り越える。
壁２１１１を乗り越えたストッパ２２６は、元の形状に戻り、凹部２１１の壁２１１１の外側に当接する（ｄ）。
こうして、秤量皿支持部材本体２１に結合されたスライダ２２は、押圧部２２５が押されても、ストッパ２２６が凹部２１１の壁２１１１に当たり、（ｂ）の状態には戻らない。
【００２２】
次に、スライダ２２を凹部２１１内でスライドさせて、凹部２１１の貫通孔２１２とスライダ２２の挿通孔２２３とを合わせる。
次に、荷重受部１０に固定されたフランジ付きピン９のフランジ部９１を貫通孔２１２及び挿通孔２２３に通し、秤量皿支持部材本体２１の嵌合凹部２１５を荷重受部１０の突出部１０１に嵌める。
【００２３】
図５は、この状態の秤量皿支持部材２０を示している。この状態の秤量皿支持部材２０は、荷重受部１０に係合しているが、荷重受部１０に固定されてはおらず、“解放状態”にある。図６は、解放状態の秤量皿支持部材２０の平面図、図７は、図６のＡ−Ａ位置での断面図、図８は、図６のＣ−Ｃ位置での断面図を示している。
秤量皿支持部材２０が解放状態のとき、図８に示すように、フランジ付きピン９は、スライダ２２の挿通孔２２３に接触していない。そのため、解放状態では、フランジ付きピン９からスライダ２２に作用する力は存在しない。
【００２４】
なお、スライダ２２の押圧部２２４は、図７に示すように、秤量皿支持部材本体２１の貫通孔２１２とスライダ２２の挿通孔２２３とが一致した状態で、秤量皿支持部材本体２１の側面に当接する。そのため、秤量皿支持部材本体２１とスライダ２２とが結合された秤量皿支持部材２０において、貫通孔２１２と挿通孔２２３とを一致させるためには、スライダ２２の押圧部２２４を秤量皿支持部材本体２１に当たるまで押せば良い。
【００２５】
次に、解放状態の秤量皿支持部材２０を荷重受部１０に固定するため、スライダ２２のストッパ２２６が秤量皿支持部材本体２１の壁２１１１に当接するまで押圧部２２５を押し続ける。
図９は、スライダ２２の移動に伴って変化するフランジ付きピン９と連通孔２２０との関係を示している。
図９（ａ）は、フランジ付きピン９が連通孔２２０の挿通孔２２３の位置に在る状態を示している。スライダ２２は、フランジ付きピン９のテーパ９３の高さに位置しているが、挿通孔２２３の直径がフランジ部９１よりも大きいため、スライダ２２は、フランジ付きピン９に接触していない。
【００２６】
図９（ｂ）は、フランジ付きピン９が連通孔２２０の狭幅部２２１の位置に在るときの状態を示している。狭幅部２２１のスライダ２２は、フランジ付きピン９のテーパ９３に接触して下方に押圧される。そのため、スライダ２２が弾性変形し、スライダ２２の反発力がフランジ付きピン９に作用する。フランジ付きピン９が狭幅部２２１を通過するためには、この反発力に抗してスライダ２２を押さなければならない。
図９（ｃ）は、フランジ付きピン９が連通孔２２０の長孔２２２の位置に在るときの状態を示している。長孔２２２位置のスライダ２２は、フランジ付きピン９のテーパ９３に接触しているが、スライダ２２の弾性変形は、殆ど無い。
【００２７】
図９（ｃ）の状態において、秤量皿支持部材２０は荷重受部１０に固定される。先に示した図１は、固定状態の秤量皿支持部材２０を示しており、図１０は、固定状態の秤量皿支持部材２０の平面図を示している。また、図３は、図１０のＡ−Ａ位置での断面図を示し、図１１は、図１０のＣ−Ｃ位置での断面図を示している。
このように、フランジ付きピン９の連通孔２２０の通過位置が、挿通孔２２３から狭幅部２２１を経て長孔２２２に変わることで秤量皿支持部材２０は荷重受部１０に固定される。この長孔２２２は、フランジ付きピン９の軸部９２は通過できるが、フランジ部９１は通過できないため、秤量皿支持部材２０は荷重受部１０から抜けられず、秤量皿支持部材２０と荷重受部１０とが固定される。
【００２８】
また、フランジ付きピン９に対して反発力を作用する連通孔２２０の狭幅部２２１は、解放操作が行われないのに、スライダ２２の位置が固定状態から解放状態に“位置ずれ”する事態を防止する。
なお、秤量皿支持部材２０は、組立て時と逆の手順で荷重受部１０から取り外すことができる。
このように、この秤量皿支持部材は、秤の荷重受部に対して、誰でも同じように安定的に固定することができ、また、正常な状態で固定されていることを、スライダ２２の位置を見て容易に確認することができる。
【００２９】
図１２は、本発明の秤量皿支持部材の第１の変形例を示している。この秤量皿支持部材３０は、秤量皿支持部材本体３１とスライダ３２とから成り、秤量皿支持部材本体３１の凹部３１１は、その底面に、ピン９のフランジ部９１が挿通可能な貫通孔３１２を有し、貫通孔３１２の円筒状の端部が凹部３１１の底面から僅かに突出している。また、凹部３１１の長手方向（スライダ３２のスライド方向）の両端には、スライダ３２を支える段差３１３が設けられている。また、凹部３１１の対向する上縁には、各縁に三つの離脱防止片３１４１、３１４２，３１４３が設けられている。スライダ３２は、離脱防止片３１４１、３１４２，３１４３に対応する切欠部を有しており、その点だけが図２のスライダ２２と相違している。
【００３０】
この秤量皿支持部材３０の秤量皿支持部材２０（図２）に対する実質的な変更点は、スライダを支える段差の設置位置を、凹部の長手方向に並行する辺の位置から、長手方向に直交する辺の位置に変えている点である。
これは、次の理由による。
弾性体のスライダを支える段差間の間隔が狭いと、スライダをガタツキ無く支えるために、段差の高さ寸法を精確に設定する必要がある。しかし、スライダを支える段差間の間隔が広いと、段差の高さ寸法に多少のバラツキがあっても、バラツキを吸収してスライダをガタツキ無く支えることができる。
凹部３１１の長手方向に直交する両辺間の間隔は、長手方向に並行する両辺間の間隔よりも長い。
そのため、凹部３１１の長手方向に直交する辺に段差を設けた方が、秤量皿支持部材３０の製造が容易になる。
この秤量皿支持部材３０の荷重受部１０への取り付け手順は、図２の秤量皿支持部材２０と変わりがない。
【００３１】
図１３は、解放状態の秤量皿支持部材３０を示し、図１３のＡ−Ａ位置での断面図を図１４に、図１３のＣ−Ｃ位置での断面図を図１５に示している。
また、図１６は、固定状態の秤量皿支持部材３０を示し、図１６のＡ−Ａ位置での断面図を図１７に、図１６のＣ−Ｃ位置での断面図を図１８に示している。
【００３２】
図１９は、本発明の秤量皿支持部材の第２の変形例を示している。この秤量皿支持部材４０の秤量皿支持部材本体４１は、凹部３１１の貫通孔４１２から離間した位置に円筒状突起４１３を有している。円筒状突起４１３の中心孔は、凹部４１１の底面を貫通している。スライダ２２の形状は、図２と同様であり、円筒状突起４１３は、秤量皿支持部材本体４１と結合されたスライダ２２の長孔２２２に挿通される。
一方、荷重受部１０は、秤量皿支持部材本体３１と接合する上端に、フランジ付きピン９と共に、円筒状突起４１３の中心孔に挿入されるピン９５を有している。
この秤量皿支持部材４０を荷重受部１０に固定するとき、ピン９５が秤量皿支持部材本体４１の円筒状突起４１３に嵌るため、秤量皿支持部材４０の荷重受部１０に対する位置決めが一層安定化する。
【００３３】
図２０は、本発明の秤量皿支持部材の第３の変形例を示している。この秤量皿支持部材５０の秤量皿支持部材本体５１は、荷重受部１０に対向する裏面に立設されたピン５２を有している。一方、荷重受部１０は、ピン５２が挿入される孔９４を有している。
この秤量皿支持部材５０を荷重受部１０に固定するとき、ピン５２が荷重受部１０の孔９４に嵌るため、秤量皿支持部材４０の荷重受部１０に対する位置決めが一層安定化する。
なお、ここで示した構成は、一例であって、本発明は、それだけに限定されるものではない。
【産業上の利用可能性】
【００３４】
本発明の秤量皿支持部材は、荷重受部への安定的な取り付けや、取り付け状態の確認が容易であり、秤量皿の支持が必要な多くの秤に対して適用することができる。
【符号の説明】
【００３５】
９        フランジ付きピン
１０      荷重受部
１１      秤本体
１４      荷重受部
１４ｂ    ネジ孔
１５      孔部
１６      秤量皿支持部材
１７      秤量皿
１８      ネジ
２０      秤量皿支持部材
２１      秤量皿支持部材本体
２２      スライダ
３０      秤量皿支持部材
３１      秤量皿支持部材本体
３２      スライダ
４０      秤量皿支持部材
４１      秤量皿支持部材本体
５１      秤量皿支持部材本体
５２      ピン
９１      フランジ部
９２      軸部
９３      テーパ
９４      孔
９５      ピン
１０１    突出部
２１１    凹部
２１２    貫通孔
２１３    段差
２１５    嵌合凹部
２２０    連通孔
２２１    狭幅部
２２２    長孔
２２３    挿通孔
２２４    押圧部
２２５    押圧部
２２６    ストッパ
２２７    切欠部
２２８    切落とし部
３１１    凹部
３１２    貫通孔
３１３    段差
４１１    凹部
４１２    貫通孔
４１３    円筒状突起
２１１１  壁部
２１４１  離脱防止片
２１４２  離脱防止片
３１４１  離脱防止片
３１４２  離脱防止片
３１４３  離脱防止片
【図１】
2014050403.tif 000003
【図２】
2014050403.tif 000004
【図３】
2014050403.tif 000005
【図４】
2014050403.tif 000006
【図５】
2014050403.tif 000007
【図６】
2014050403.tif 000008
【図７】
2014050403.tif 000009
【図８】
2014050403.tif 000010
【図９】
2014050403.tif 000011
【図１０】
2014050403.tif 000012
【図１１】
2014050403.tif 000013
【図１２】
2014050403.tif 000014
【図１３】
2014050403.tif 000015
【図１４】
2014050403.tif 000016
【図１５】
2014050403.tif 000017
【図１６】
2014050403.tif 000018
【図１７】
2014050403.tif 000019
【図１８】
2014050403.tif 000020
【図１９】
2014050403.tif 000021
【図２０】
2014050403.tif 000022
【図２１】
2014050403.tif 000023
【国際調査報告】
2014050403.tif 000024
2014050403.tif 000025